(57)【特許請求の範囲】
【請求項１】
ケース状に構成されたコントロールボックス（１１）、電源部（１２）、制御部（１３）、低周波出力部（１４）、操作スイッチ（１５）で構成された低周波治療器（１０）を接続して、着用者の身体部位に低周波刺激を与えて理学療法を行えるようにした低周波治療用着用バンドにおいて、
前記着用バンド（２０）は、繊維糸ループを連続的に編織して円筒形に形成されており、繊維糸で編織された表糸（２１）と、カバーリング糸で編織された裏糸（２２）と、裏糸（２２）の内面に編織されて皮膚に密着した状態で低周波刺激を与える導電繊維のパイル糸（２３）と、からなり、
表面上に突設された電極端子（２４）に前記低周波治療器（１０）のケーブル（１６）が接続されることにより、陰極と陽極の低周波電流がパイル糸（２３）に伝達されることを特徴とする、低周波治療用着用バンド。
【請求項２】
前記表糸（２１）の外部には、着用バンド（２０）の接触により発生する静電気を防止するためにステンレス繊維（３０）が編織されることを特徴とする、請求項１に記載の低周波治療用着用バンド。
【請求項３】
前記パイル糸（２３）は、アクリル繊維に硫酸銅を反応させて導電性を持たせた導電繊維、繊維中に導電性物質であるカーボンブラックを混合させた導電繊維、繊維の表面に金属を蒸着して導電性を持たせた導電繊維のうちから選ばれたいずれか一つであることを特徴とする、請求項１に記載の低周波治療用着用バンド。
【請求項４】
前記裏糸（２２）、パイル糸（２３）のうちいずれか一方は、表面を鉄ブラシで擦って表面に毛羽を立てて起毛させることを特徴とする、請求項１に記載の低周波治療用着用バンド。
【請求項５】
前記裏糸（２２）は、金属製の銅糸（２２１）を芯材とし、ナイロン又はポリエステルを被覆糸（２２２）として巻いて形成したカバーリング糸からなり、前記着用バンド（２０）に備えられた電極端子（２４）に低周波治療器（１０）のケーブル（１６）が接続されることにより、電流を供給される銅糸（２２１）が発熱されることを特徴とする、請求項１に記載の低周波治療用着用バンド。
【請求項６】
前記裏糸（２２）は、パイル糸編織効果を発揮できるようにメッシュ（網）の形で編織されることを特徴とする、請求項５に記載の低周波治療用着用バンド。
【請求項７】
前記被覆糸（２２２）の外部には、着用者の皮膚に直接接触することを防止するためにテフロン樹脂がコーティングされることを特徴とする、請求項５に記載の低周波治療用着用バンド。
【請求項８】
前記着用バンド（２０）の上下部には弾力バンド（２５）が形成され、前記弾力バンド（２５）は、合成繊維にゴム糸が合糸されて編織されることを特徴とする、請求項１に記載の低周波治療用着用バンド。
【請求項９】
前記着用バンド（２０）は、複数の身体部位に同時に着用できるように互いに分離された一対で構成されることを特徴とする、請求項１に記載の低周波治療用着用バンド。
【発明の詳細な説明】
【技術分野】
【０００１】
本発明は、低周波治療用着用バンドに関し、さらに詳しくは、導電繊維で形成されたパイル糸が内部に編織された円筒形着用バンドを身体部位に着用した状態で低周波治療器に接続して、身体部位に低周波刺激を与えて理学療法を行えるようにした低周波治療用着用バンドに関する。
【背景技術】
【０００２】
一般に、低周波治療器は、生体に低周波パルスを流して神経や筋肉を物理的にマッサージする治療装置である。
【０００３】
上記低周波治療器は、ケース状に構成されたコントロールボックス、電源部、制御部、低周波出力部、操作スイッチ及び電極部で構成されている。陰極と陽極からなる電極部は、電線により導電性ゴム製のパッドがコントロールボックスと接続されて低周波刺激を加えて理学的療法を行えるように構成されている。
【０００４】
しかし、人体に接着されるゴム製の電極パッドは、接着部位が限定的に構成されているが故にパッドとの接触面積を広くすることができない構造であり、このため、理学療法の効果を高めることができなかった。この他、電極部は粘着パッドで構成されているので、約３０〜５０回程度使用すると接着面が汚染されてしまい、高周波刺激の効果が低下し、皮膚に密着していない場合にはちくちくするような不快感を誘発するなどの弊害が発生した。
【０００５】
従来、韓国登録実用新案第２０−０４２７５３１号「経穴刺激指圧突起が備えられた複合機能低周波理学療法器」（先行技術１）及び韓国登録実用新案第２０−０４６４００５号「低周波理学療法器」（先行技術２）が提案されている。
【０００６】
上記先行技術１は、柔軟で滑らかな織物本体に対し、低周波器から発生した、＋、−の低周波電気刺激を流す電気マッサージ装置に関するものである。上記先行技術１は、パッド形のマッサージ部を形成し、本体を、柔軟なものにしつつ形態的安定性を高めるためにカーボン含有の導電性ゴムで成形し、皮膚と直接接触する表面には、均等に配列された多数の経穴刺激用指圧突起が突出するように形成される。上記先行技術１は、漢方の鍼術に取って代わり、電気的刺激の組み合わせによる複合シナジー効果をもって、人体の血液循環及び新陳代謝促進効果を効率的に実現できるようにした考案である。
【０００７】
上記先行技術２は、帯状の本体と、本体の一面に連続配置され遠赤外線及び陰イオンを発生させる多数のトルマニウムセラミックと、トルマニウムセラミックの間に位置づけられるように本体の一面に一定の間隔を置いて配置され、相異なる作動サイクル及び作動時間を有する多数の通電ゴムと、上記本体に設けられ、上記通電ゴムに供給される電流の大きさ及び電流供給時間を制御し、電流供給手段を備えた制御装置とを含む。上記通電ゴムは突出した一対のピンをそれぞれ有し、上記ピンは本体を貫通した後に曲げられることにより通電ゴムを本体に固定させる。さらに通電ゴムはトルマニウムセラミックよりも高く突出し、トルマニウムセラミックは、角の破損現象を防止するために台形形状の断面を有する直方体形を呈する。上記先行技術２はこれらを特徴とする低周波理学療法器に関するものである。
【０００８】
しかし、上記先行技術１，２は、帯状のものでベルトタイプで着用するので、マッサージ部位を広くすることができない構造であるため、着用が不便である。さらに、皮膚に接触する導電性ゴムには、連続した突出電極が配列され、指圧突起が形成されて非常に複雑な構造となっているので、製作が難しく、製造コストが高くなるなどの弊害が発生する。
【先行技術文献】
【特許文献】
【０００９】
【特許文献１】韓国登録実用新案第２０−０４２７５３１号「経穴刺激指圧突起が備えられた複合機能低周波理学療法器」
【特許文献２】韓国登録実用新案第２０−０４６４００５号「低周波理学療法器」
【発明の概要】
【発明が解決しようとする課題】
【００１０】
本発明の目的は、上記問題を解決するために案出されたものであり、導電繊維で形成されたパイル糸が内部に編織されている円筒形着用バンドを身体部位に着用した状態で低周波治療器に接続して、身体部位に低周波刺激を与えることにより、広い部位に自由に理学療法を行うことができる低周波治療用着用バンドを提供することである。
【課題を解決するための手段】
【００１１】
上記目的を達成するための本発明に係る低周波治療用着用バンドは、ケース状に構成されたコントロールボックス、電源部、制御部、低周波出力部、操作スイッチで構成された低周波治療器を接続して、着用者の身体部位に低周波刺激を与えて理学療法を行えるようにした低周波治療用着用バンドにおいて、上記着用バンドは、繊維糸ループを連続的に編織して円筒形に形成される。上記着用バンドは、繊維糸で編織された表糸と、カバーリング糸で編織された裏糸と、裏糸の内面に編織されて皮膚に密着した状態で低周波刺激を与える導電繊維のパイル糸と、を備え、表面上に突設された電極端子に上記低周波治療器のケーブルが接続されることにより、陰極と陽極の低周波電流がパイル糸に伝達されることを特徴とする。
【発明の効果】
【００１２】
上述したように、本発明に係る低周波治療用着用バンドは、繊維素材の着用バンドで形成されて身体部位に簡単に着用することができる。さらに本発明に係る低周波治療用着用バンドは、着用時の静電気発生を防止し、着用バンドの伸縮性によって皮膚に密着する構造を有する。そのため、身体の広い部位に自由に理学療法を行うことができ、これにより治療効果を極大化させることができるという効果がある。
【図面の簡単な説明】
【００１３】
【図１】本発明に係る低周波治療用着用バンドと低周波治療器の構成を示すブロック図である。
【図２】本発明に係る低周波治療用着用バンドを示す斜視図である。
【図３】本発明に係る低周波治療用着用バンドを示す断面図である。
【図４】本発明に係る低周波治療用着用バンドを拡大して示す断面図である。
【図５】本発明に係る低周波治療用着用バンドの他の一例を示す図である。
【図６】本発明に係る低周波治療用着用バンドの裏糸を示す斜視図である。
【図７】本発明に係る低周波治療用着用バンドを腕部位に着用した状態を示す図である。
【図８】本発明に係る低周波治療用着用バンドを背中、腰部位に着用した状態を示す図である。
【図９】本発明に係る低周波治療用着用バンドをギブス部位に着用した状態を示す図である。
【図１０】本発明に係る低周波治療用着用バンドのまた他の一例を腕部位に着用した状態を示す図である。
【図１１】本発明に係る低周波治療用着用バンドのまた他の一例を背中、腰部位に着用した状態を示す図である。
【発明を実施するための形態】
【００１４】
以下、本発明の好ましい実施形態を添付図面を参照して説明すると、次の通りである。
【００１５】
図１に示すように、本発明による低周波治療器１０は、ケース状に構成されたコントロールボックス１１、電源部１２、制御部１３、低周波出力部１４、操作スイッチ１５で構成された低周波治療器１０を装着させて、着用者の身体部位に低周波刺激を与えて理学療法を行えるように構成されている。
【００１６】
上記低周波治療器１０は、すでに広く知られている公知の技術であり、本発明に係る低周波治療用着用バンド２０は、着用が簡単でありながらも皮膚と密着可能であり、人体との接触面積を広くして効率的な理学療法を行うことができる。
【００１７】
図２及び図３に示すように、上記着用バンド２０では、表面上に突設された電極端子２４に上記低周波治療器１０のケーブル１６が接続されて陰極と陽極の低周波電流がパイル糸２３に伝達される。
【００１８】
特に、上記着用バンド２０の上部及び下部には弾力バンド２５が形成され、上記弾力バンド２５は、合成繊維にゴム糸が合糸されて編織されることによりかなりの弾力性を持っている。これにより着用バンド２０の上部及び下部が弾力バンド２５によって締められるため、使用部位に完全に密着することができる。
【００１９】
上記着用バンド２０は、上記パイル糸２３を着用バンド２０の内部で上下に分割形成し、上部パイル糸には陽極（＋）の電流が流れ、下部パイル糸には陰極（−）の電流が流れるように構成してもよい。この時、上記着用バンド２０の上部及び下部はもとより、中間部にも弾力バンド２５を形成してもよい。
【００２０】
すなわち、上記着用バンド２０の上部及び下部には、パイル糸２３と電気的に接続される電極端子２４がそれぞれ突出している。上記電極端子２４は、低周波治療器１０と接続されて陰極（−）と陽極（＋）の低周波電流を上下パイル糸２３にそれぞれ流すことができるように構成される。
【００２１】
図４に示すように、上記着用バンド２０は、編機の円筒形ニードルシリンダに装着された編針が繊維糸にループを連続的に編織することで円筒形に形成されている。上記着用バンド２０は繊維糸で編織された表糸２１と、カバーリング糸で編織された裏糸２２と、裏糸２２の内面に編織されて皮膚に密着した状態で低周波刺激を与える導電繊維のパイル糸２３と、からなる。
【００２２】
図５に示すように、上記表糸２１の外部には、着用バンド２０の接触により発生する静電気を防止するためにステンレス繊維３０が編織されていてもよく、また、一般的な導電繊維で編織されてもよい。
【００２３】
すなわち、上記着用バンド２０の構成のうち最も外側に位置する表糸２１の外部にステンレス繊維３０を追加編織することにより、着用者が着用バンド２０を着用するか、あるいは分離する場合に接触により発生する静電気を事前に防止する。これにより静電気による電気ショックを遮断することができる。
【００２４】
図６に示すように、上記裏糸２２は、金属製の銅糸２２１を芯材とし、その外側に伸縮性があるナイロン又はポリエステルを被覆糸２２２として巻いて形成するカバーリング糸からなる。上記着用バンド２０にそれぞれ備えられた電極端子２４に低周波治療器１０のケーブル１６が接続されることにより、電流が供給される銅糸２２１が発熱する。
【００２５】
特に、上記銅糸２２１は、１つまたは１つ以上を使用することができる。１つを使用する場合では、一方に陽極電流が伝達され、他方に陰極電流が伝達されるように接続されることが望ましい。１つ以上を使用する場合では、一方と他方の両方に陽極電流と陰極電流がそれぞれ伝達されるように接続されることが望ましい。
【００２６】
このように、着用バンド２０を着用して低周波刺激による理学療法を行うと、被覆糸２２２により覆われた銅糸２２１が発熱するとともに温熱マッサージ効果が得られてマッサージ効果を向上させ、これにより理学療法の効果をさらに高めることができる。
【００２７】
上記裏糸２２は、パイル糸の編織効果を発揮できるようにメッシュ（網）の形で編織することができる。これにより上記裏糸２２は、優れた通気性を備えつつ、導電性を確保する。
【００２８】
上記裏糸２２は、表面を鉄ブラシで擦って表面に毛羽を立てて起毛させることができる。したがって、起毛によりパイル糸とパイル糸との間のスペースを埋めることにより、導電性が向上する。
【００２９】
一方、上記被覆糸２２２の外部には、着用者の皮膚に直接接触することを防止するためにテフロン樹脂がコーティングされることが好ましい。したがって、上記被覆糸２２２の外部にテフロン樹脂をコーティングすることにより、着用者の皮膚との直接的な接触を防止し、これにより電気的刺激に敏感であったり、頻繁な接触にかゆみを誘発する皮膚疾患がある着用者も気軽に使用することができる。
【００３０】
一方、上記パイル糸２３は、表糸２１と裏糸２２を編織するとき、無数の環状の繊維毛が裏糸２２の内面に編み込まれた織物で構成されており、厚さ調整自在であり、柔らかな風合いを持つように構成されている。
【００３１】
上記パイル糸２３は、アクリル繊維に硫酸銅（ＣｕＳＯ４）を反応させて導電性を持たせた導電繊維、繊維中に導電性物質であるカーボンブラックを混合させた導電繊維、繊維の表面に金属を蒸着して導電性を持たせた導電繊維のうちから選ばれたいずれか一つからなることが好ましい。
【００３２】
場合によっては、上記パイル糸２３の原材料を構成する高分子重合体に対して２〜６重量％の銅粉末を混合した原料を４０デニール（ｄｅｎｉｅｒ）サイズの紡糸孔を通して溶融紡糸して製造したフィラメント加工糸を使用することができる。
【００３３】
前述したような、上記パイル糸２３を銅材質の金属が含まれている導電繊維で形成した場合では、合成繊維から発生する静電気を除去することができるだけでなく、銅イオンが持つ抗菌及び消臭効果によって着用バンド２０のフィット感を良好にして低周波刺激による理学療法の効果をさらに向上させることができる。
【００３４】
上記パイル糸２３は、表面を鉄ブラシで擦って表面に毛羽を立てて起毛させることができる。したがって、起毛によりパイル糸とパイル糸との間のスペースを埋めることにより、導電性が向上する。
【００３５】
図７に示すように、本発明の低周波治療用着用バンド２０は、着用者の患部に簡単に着用できるとともに、バンドの伸縮性によって皮膚に密着する構造である。そのため、従来の技術における、粘着パッドを貼り付ける面倒な作業過程や、使用すればするほど粘着性が落ちてマッサージ効率が低下するなどの従来の諸問題が完全に解消される。したがって、本発明の低周波治療用着用バンド２０は、対外競争力に優れた高品質、高機能性の低周波治療器を実現することができる。
【００３６】
図８に示すように、本発明の低周波治療用着用バンド２０は、患部への着用が非常に簡単でありながらも、背中、腰などの比較的広い面積を有する身体部位にも着用可能であるので、人体との接触面積を広くして効率的な理学療法を行うことができる。
【００３７】
図９に示すように、上記着用バンド２０をギブス部材が着用される部位にストッキング（ｓｔｏｃｋｉｎｇ）を履くように着用すると、すぐ簡単に着用でき、ユーザーの骨折部位を安全に保護し、その後、ギブス部材を着用バンド２０の外側に着用することができるものである。ギブス部材の内部に着用される着用バンド２０は、内部のパイル糸が導電繊維で形成されて静電気の発生を防止し、抗菌および殺菌効果を得ることができるなどの利点がある。
【００３８】
また、上記着用バンド２０は、ギブスをした状態においても骨がある程度固まった後に低周波刺激による理学療法を行うと、硬直した筋肉をほぐし、血液の循環を促進させ、ギブス後に行われるリハビリが不要になり、またはリハビリ運動期間を短縮させることができる。
【００３９】
図１０及び図１１に示すように、上記着用バンド２０は、複数の身体部位に同時に着用できるように互いに分離された一対で構成されてもよい。このとき、上部着用バンドは陽極の電流が伝達され、下部着用バンドには陰極の電流が伝達されるようにする。
【００４０】
このように、上記一対の着用バンド２０を複数の身体部位に着用した状態で低周波刺激を同時に与えることにより、広い部位に自由に理学療法を行うことができる。
【産業上の利用可能性】
【００４１】
本発明に係る低周波治療用着用バンドは、伸縮性によって皮膚に密着する高品質、高機能性のバンドであるので、患部への着用が非常に簡単でありながらも、皮膚の広い面積に着用して人体との接触面積を広くすることで効率的な理学療法を提供することにより、運動機能の回復と身体自立度を高めるのに大きく寄与することができる。
【符号の説明】
【００４２】
１０    低周波治療器
１１    コントロールボックス
１２    電源部
１３    制御部
１４    低周波出力部
１５    操作スイッチ
１６    ケーブル
２０    着用バンド
２１    表糸
２２    裏糸
２２１    銅糸
２２２    被覆糸
２３    パイル糸
２４    電極端子
２５    弾力バンド
３０    ステンレス繊維
【図１】
0006400230.tif 000002
【図２】
0006400230.tif 000003
【図３】
0006400230.tif 000004
【図４】
0006400230.tif 000005
【図５】
0006400230.tif 000006
【図６】
0006400230.tif 000007
【図７】
0006400230.tif 000008
【図８】
0006400230.tif 000009
【図９】
0006400230.tif 000010
【図１０】
0006400230.tif 000011
【図１１】
0006400230.tif 000012